【事件の表示】
　特許第３１１５３５５号「パチンコ機」の請求項１に係る特許に対する特許異議の申立てについて、次のとおり決定する。
【結　論】
　訂正を認める。
　特許第３１１５３５５号の請求項１に係る特許を維持する。
【理　由】
１．手続の経緯
　特許第３１１５３５５号の請求項１に係る発明についての出願は、平成３年６月２１日に特許出願され、平成１２年９月２９日にその発明について特許権の設定がなされた後、その特許について、上田実及び根本淳子より特許異議の申立てがなされ、取消理由が通知され、その指定期間内である平成１３年１１月２０日に訂正請求（後日取下げ）がなされた後、再度の取消理由が通知され、その指定期間内である平成１４年８月１９日に訂正請求がなされたものである。
　　　　　　　　　　　　　　　　　　　　　　　　　　　　　　　　　
２．訂正の適否についての判断　　　　　　　　　　　　　　　　　　　
（１）訂正の内容
訂正事項a
　特許明細書の特許請求の範囲の請求項１の記載を下記のとおり訂正。
【請求項１】　始動入賞口と、この始動入賞口への遊技球の落入によって拡開作動する可動翼片を備えた入賞装置と、この入賞装置内に設けられかつ遊技球が通過すると前記可動翼片を反復開閉する特定入賞領域と、この特定入賞領域を遊技球が通過したときに図柄を停止表示し前記可動翼片の反復開閉の再度複数回にわたる繰り返し回数を特定する図柄表示体と、この図柄表示体において特定された図柄の数表示結果に相当する回数だけ前記可動翼片の反復開閉を繰り返し可能に制御する制御手段を備え、
　しかも、前記可動翼片の反復開閉中には、前記図柄表示体に、前記入賞装置内に落入した入賞球の数を表示し、前記可動翼片の反復開閉の再度複数回にわたる繰り返し回数が終了したときには、前記図柄表示体に、前記入賞装置内に落入した入賞球の総数を表示することで、前記図柄表示体は、前記繰り返し回数を表示する機能と、前記反復開閉時の入賞球の数を表示する機能と、前記繰り返し回数終了時の入賞球の総数を表示する機能と、を兼用することを特徴とするパチンコ機。
　　　　　　　　　　　　　　　　　　　　　　　　　　　　　　　　　
訂正事項b
　特許明細書の段落【０００４】の記載を下記のとおり訂正。 　　　　　【０００４】
【課題を解決するための手段】
　本発明のパチンコ機は、始動入賞口と、この始動入賞口への遊技球の落入によって拡開作動する可動翼片を備えた入賞装置と、この入賞装置内に設けられかつ遊技球が通過すると前記可動翼片を反復開閉する特定入賞領域と、この特定入賞領域を遊技球が通過したときに図柄を停止表示し前記可動翼片の反復開閉の再度複数回にわたる繰り返し回数を特定する図柄表示体と、この図柄表示体において特定された図柄の数表示結果に相当する回数だけ前記可動翼片の反復開閉を繰り返し可能に制御する制御手段を備え、
　しかも、前記可動翼片の反復開閉中には、前記図柄表示体に、前記入賞装置内に落入した入賞球の数を表示し、前記可動翼片の反復開閉の再度複数回にわたる繰り返し回数が終了したときには、前記図柄表示体に、前記入賞装置内に落入した入賞球の総数を表示することで、前記図柄表示体は、前記繰り返し回数を表示する機能と、前記反復開閉時の入賞球の数を表示する機能と、前記繰り返し回数終了時の入賞球の総数を表示する機能と、を兼用することを特徴とする。
　　　　　　　　　　　　　　　　　　　　　　　　　　　　　　　　　
訂正事項c
　特許明細書の段落【０００５】の記載を下記のとおり訂正。
【０００５】
【作用】
　可動翼片の拡開作動によって開放される入賞口へ落入した入賞球が遊技者に特典を与えるために設けた特定入賞領域を通過すると、可動翼片が反復開閉する。また、入賞球が特定入賞領域を通過すると、図柄表示体において図柄を停止表示する。そして図柄表示体において繰り返し回数が数表示され、繰り返し回数分だけ可動翼片の反復開閉が繰り返し可能となる。
　また、可動翼片の反復開閉中には、図柄表示体に、前記入賞装置内に落入した入賞球の数を表示する。
　さらに、可動翼片の反復開閉の再度複数回にわたる繰り返し回数が終了したときには、前記図柄表示体に、前記入賞装置内に落入した入賞球の総数を表示する。
　　　　　　　　　　　　　　　　　　　　　　　　　　　　　　　　　
訂正事項d
　特許明細書の段落【０００６】の記載を下記のとおり訂正。
【０００６】
【発明の効果】
　本発明は前記したように構成してあるので、遊技球が始動入賞口へ落入する事と、入賞球が入賞装置の特定入賞領域を通過する事と、入賞球の特定入賞領域の通過により特定される図柄表示体の数表示結果とにより遊技者に与えられる利益が段階的にかつ複合的に設定されるという新規な趣向をパチンコ機に具備させることができ、ゲームの状況に変化を与えてゲームの興趣を高めることができる。
　特に、図柄表示体は、前記繰り返し回数を表示する機能と、前記反復開閉時の入賞球の数を表示する機能と、前記繰り返し回数終了時の入賞球の総数を表示する機能と、を兼用することで、同一の図柄表示体を目視することによって、前記繰り返し回数と、前記反復開閉時の入賞球の数と、前記繰り返し回数終了時の入賞球の総数とを容易に認識することができる。
　　　　　　　　　　　　　　　　　　　　　　　　　　　　　　　　　
（２）訂正の目的の適否、新規事項の有無及び拡張・変更の存否　 　　　
　上記訂正事項aは特許請求の範囲の減縮を目的とした明細書の訂正に該当しており、また訂正事項bないしdは訂正後の特許請求の範囲の記載と発明の詳細な説明の記載との整合を図るための明りょうでない記載の釈明を目的とした明細書の訂正に該当しており、いずれも新規事項の追加に該当せず、実質上特許請求の範囲を拡張し、変更するものではない。
　　　　　　　　　　　　　　　　　　　　　　　　　　　　　　　　　
（３）むすび　　　　　　　　　　　　　　　　　　　　　　　　　　　　
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。 　 　　　　　　　　　　　　　 　　　　　　　　　　　　　　　　　　　　　　　　　　　　　　　
３．特許異議申立てについての判断　　　　　　　　　　　　　　　　　
（１）申立ての理由の概要 　　　　　　　　　　　　　　　　　　　　　
(1-1) 特許異議申立人上田実は、証拠として下記の甲第１号証及び甲第２号証を提示し、本件の請求項１に係る発明は甲第１号証に記載された発明であるから、その特許は特許法第２９条第１項第３号の規定に違反してなされたものであり、または、甲第１号証及び甲第２号証に記載された発明に基いて当業者が容易に想到することができたものであるから、その特許は特許法第２９条第２項の規定に違反してなされたものであり、取り消されるべきである旨主張している。
甲第１号証：特開平１−２３２９８２号公報
甲第２号証：特開昭６４−７２７７５号公報
　　　　　　　　　　　　　　　　　　　　　　　　　　　　　　　　　
(1-2) 特許異議申立人根本淳子は、証拠として下記の甲第１号証を提示し、以下の主張をしている。
a．本件の請求項１に係る発明は、甲第１号証に記載された発明に基いて当業者が容易に想到することができたものであるから、その特許は特許法第２９条第２項の規定に違反してなされたものであり、取り消されるべきである。
甲第１号証：特開平１−２４９０８２号公報
b．本件の請求項１に係る発明は、特許明細書の発明の詳細な説明に記載されたものではないので、本件発明の出願は特許法第３６条に規定する要件を満たしていないから本件発明の特許は取り消されるべきである。
　　　　　　　　　　　　　　　　　　　　　　　　　　　　　　　　　
（２）本件の請求項１に係る発明 　　　　　　　　　　　　　　　　　　
　上記２．で示したように上記訂正が認められるから、本件の請求項１に係る発明（以下、「本件発明」という）は、上記訂正に係る訂正明細書の特許請求の範囲の請求項１に記載されたとおりのものである。（上記２．（１）訂正事項a参照）　　　　　　　　　　　　　　　　　　　　　　　　　
　　　　　　　　　　　　　　　　　　　　　　　　　　　　　　　　　
（３）特許法第２９条第１項第３号又は第２９条第２項違反について
(3-1) 刊行物に記載の発明　　　　　　　　　　　　　　　　　　　　
　当審が平成１４年６月１０日付けで通知した取消しの理由で引用した下記の刊行物には、以下の発明が記載されている。
刊行物１：特開平１−２４９０８２号公報　　　　　　　　　　
　　　　　（特許異議申立人根本淳子の提示した甲第１号証）　　
刊行物２：特開平１−２３２９８２号公報　　　　　　　　　　　　　　　
　　　　　（特許異議申立人上田実の提示した甲第１号証）　　　　　　　
刊行物３：パチンコ必勝大図鑑　パチンコ必勝ガイド１２月号増刊　　　　
　　　　　編集発行人　末井昭　少年出版社発行　白夜書房発売　　　　　
　　　　　平成元年１２月１５日　第１巻第９号
　　　　　　　　　　　　　　　　　　　　　　　　　　　　　　　　　
刊行物１（特開平１−２４９０８２号公報）には、以下の記載がある。
1-a「本発明は・・・パチンコ機に関するものである。」（第１頁右下欄第１−４行）
1-b「変動入賞装置７は、・・・開口部１３を開設し、・・・７セグメント式表示器等からなる継続回数決定表示器１６を設け、開口部１３の左右には直立状に起立して流下してきた球が開口部１３内に流入することを阻止する第１状態と上端を外側に倒して流下してきた球を受け止めて開口部１３に流入させる第２状態とに変換可能な一対の可動部材１７，１７を夫々支軸１８により往復回動自在に軸着し、・・・また、・・・開口部１３に連通する凹室２３を形成し、・・・凹室２３の底面２６・・・に特別の入賞とする特別入賞口２８を突設し」（第２頁右上欄第１６行−右下欄第５行）
1-c「球が第１特定入賞口８に入ると、各可動部材１７が・・・第１状態から第２状態に変換し、第２特定入賞口９に入ると各可動部材１７が・・・第１状態から第２状態に変換する。」（第５頁左下欄第１６−２０行）
1-d「球が運良く特別入賞口２８に入ると、・・・継続回数決定表示器１６を作動して数字を識別できない程度の速さで高速変換表示する・・・遊技者が・・・ストップスイッチ７１を操作するか、又はタイマに設定した時間が経過すると、継続回数決定表示器１６が高速変換表示を停止して数字・・・を静止状態で表示する。」（第５頁右下欄第１４行−第６頁左上欄第１０行）
1-e「球が特別入賞口２８に入ることを条件として特別遊技の継続回数を決定する遊技が継続回数決定作動手段の制御の下で継続回数決定表示器１６において行われ、この遊技結果を継続回数決定手段の判別回路７２が判別し、これにもとづいて特別遊技進行手段が当該特別遊技を進行する。」（第６頁左上欄第１７行−右上欄第３行）
1-f「特別遊技は、電気的制御装置６９が・・・各可動部材１７を所定時間宛所定回数（例えば、・・・１８回）だけ第１状態から第２状態に変換する・・・これらの動作を１サイクルとすると、球が特別入賞口２８に入ることを条件として前記継続回数決定表示器１６で決定した回数だけサイクルの更新、即ち継続することができる。」（第６頁右上欄第１８行−左下欄第１５行）
上記記載（1-aないし1-f）より、刊行物１には以下の発明が記載されていると認められる。
「パチンコ機の変動入賞装置７は、開口部１３を開設し、継続回数決定表示器１６を設け、開口部１３の左右には直立状に起立して流下してきた球が開口部１３内に流入することを阻止する第１状態と上端を外側に倒して流下してきた球を受け止めて開口部１３に流入させる第２状態とに変換可能な一対の可動部材１７，１７を夫々軸着すると共に、開口部１３に連通する凹室２３の底面２６に特別入賞口２８を突設し、球が第１特定入賞口８または第２特定入賞口９に入ると各可動部材１７が第１状態から第２状態に変換して、特別遊技の継続回数を決定する遊技が継続回数決定作動手段の制御の下で継続回数決定表示器１６を作動して数字を識別できない程度の速さで高速変換表示後停止して数字を静止状態で表示する。この遊技結果を継続回数決定手段の判別回路７２が判別し、これにもとづいて特別遊技進行手段が特別遊技を進行する。特別遊技は、電気的制御装置６９が各可動部材１７を所定時間宛所定回数（例えば、１８回）だけ第１状態から第２状態に変換するものであり、これらの動作を１サイクルとすると、球が特別入賞口２８に入ることを条件として前記継続回数決定表示器１６で決定した回数だけサイクルの更新、即ち継続することができる。」
　　　　　　　　　　　　　　　　　　　　　　　　　　　　　　　　　
刊行物２（特開平１−２３２９８２号公報）には、以下の記載がある。
2-a「本発明はパチンコ機等の弾球遊技機に用いられる入賞球装置に関するものである。」（第１頁右下欄第４−５行）　　　　　　　　　　　　　
2-b「この入賞球装置１０は、・・・盤面３内で大きく開閉する一対の羽根１１を備えている。そして、始動口６にパチンコ球Ｐが入り、これが始動口６の奥に設けられた周知の始動球検出スイッチで検出されると、羽根１１が１回あるいは２回開閉して入賞球装置１０の開閉入賞部内にパチンコ球Ｐを受け入れやすくする。」（第２頁右下欄第８−１５行）　　　　　　　　　
2-c「キャラクタ２４の上には７セグメントＬＥＤによるデジタル値の表示を行う入賞球数表示部２６が設けられている。この入賞球数表示部２６は、継続入賞口２２、通常入賞口２３にパチンコ球Ｐが入るごとに「０〜９」の表示を行い、その球数を表示する。」（第３頁左下欄第１５−末行）
2-d「開閉入賞部１３の上方には、やはり７セグメントＬＥＤによるデジタル値の表示を行う繰返し回数表示部２７が設けられている。この繰返し回数表示部２７は、羽根１１の１８回の継続開閉動作が、何回まで繰返し得るかその回数を表示する」（第３頁右下欄第１−５行）　　　　　　　　
2-e「始動口６にパチンコ球Ｐが入賞したことが始動球検出スイッチ３０で検出されると、ＣＰＵ３３は乱数発生回路４３を起動する。これにより・・・「１」〜「８」の範囲内の数値をランダムに発生する。・・・その数値はその都度繰返し回数表示部２７にデジタル表示される。」（第４頁右上欄第１８行−左下欄第６行）
2-f「羽根１１の１ないし２回の開閉によって開閉入賞部１３内にパチンコ球Ｐが入り、さらにこれが継続入賞穴２２に入賞した場合には、継続入賞球検出スイッチ３１からＣＰＵ３３にパルス信号が入力される。これにより乱数発生回路４３の作動が停止し、その時点で発生された乱数値Ｒが繰返し回数表示部２７に表示され、大入賞処理が開始される。」（第４頁右下欄第３−１０行）　
2-g「大入賞処理は第５図のフローチャートにしたがって実行される。・・・ＣＰＵ３３はソレノイド駆動回路３８に順次に駆動パルスを供給する。この駆動パルスは、２４〜２５秒間に１８個発生され、・・・このようにして羽根１１が開閉されると、盤面３を流下するパチンコ球Ｐは開閉入賞部１３内に入りやすくなる。」（第４頁右下欄第１２行−第５頁左上欄第１９行、及び第５図）　　
2-h「継続入賞口２２で入賞を得ることができなかった場合には、羽根１１の１８回の継続開閉動作は１回で終了する・・・羽根１１が１８回の継続開閉動作を行っている間に、継続入賞口２２にパチンコ球Ｐが入ると、・・・カウンタ３５の計数値が１アップされる・・・そして、カウンタ３５の計数値は乱数発生回路４３によって決定された乱数値Ｒと比較される。この両者が不一致の場合には、最初に継続入賞口２２にパチンコ球Ｐが入ったときと同様に、・・・羽根１１の１８回の継続開閉が再開される。・・・こうして大入賞処理が経過してゆく過程で、継続入賞口２２で入賞が得られ、カウンタ３５の計数値が乱数値Ｒと一致した場合には、この回が羽根１１の継続開閉動作の最終回となる。・・・すなわち、乱数値Ｒが、羽根１１の１８回の継続開閉動作の最大繰返し回数を規制することになる。」（第５頁左下欄第４行−第６頁左上欄第１行）
　上記記載(2-aないし2-h)より、刊行物２には以下の発明が記載されていると認められる。
「パチンコ機の入賞球装置１０は、開閉する一対の羽根１１を備えている。そして、始動口６にパチンコ球Ｐが入ると、羽根１１が開閉して入賞球装置１０の開閉入賞部１３内にパチンコ球Ｐを受け入れやすくする。始動口６にパチンコ球Ｐが入賞すると、ＣＰＵ３３は乱数発生回路４３を起動し、「１」〜「８」の範囲内の数値をランダムに発生する。その数値はその都度繰返し回数表示部２７にデジタル表示される。開閉入賞部１３内にパチンコ球Ｐが入り、さらにこれが継続入賞口２２に入賞した場合には、継続入賞球検出スイッチ３１からＣＰＵ３３にパルス信号が入力される。これにより乱数発生回路４３の作動が停止し、その時点で発生された乱数値Ｒが繰返し回数表示部２７に表示され、大入賞処理が開始されて、これにより羽根が１８回の継続開閉動作を行う。また７セグメントＬＥＤによるデジタル値の表示を行う入賞球数表示部２６は、継続入賞口２２、通常入賞口２３にパチンコ球Ｐが入るごとに「０〜９」の表示を行い、その球数を表示する。継続入賞口２２で入賞を得ることができなかった場合には、羽根１１の１８回の継続開閉動作は１回で終了する。１８回の継続開閉動作を行っている間に、継続入賞口２２にパチンコ球Ｐが入ると、カウンタ３５の計数値が１アップされる。そして、カウンタ３５の計数値は乱数発生回路４３によって決定された乱数値Ｒと比較される。この両者が不一致の場合には、羽根１１の１８回の継続開閉が再開される。こうして大入賞処理が経過してゆく過程で、継続入賞口２２で入賞が得られ、カウンタ３５の計数値が乱数値Ｒと一致した場合には、この回が羽根１１の継続開閉動作の最終回となる。すなわち、乱数値Ｒが、羽根１１の１８回の継続開閉動作の最大繰返し回数を規制することとなる。」
　　　　　　　　　　　　　　　　　　　　　　　　　　　　　　　　　
刊行物３（パチンコ必勝大図鑑　パチンコ必勝ガイド１２月号増刊　編集発行人　末井昭　少年出版社発行　白夜書房発売　平成元年１２月１５日　第１巻第９号）には、以下の記載がある。
3-a「大当り終了時には、役物上部のデジタル部分に、入賞した玉の総数が表示される親切設計も見逃せない点だ。」（第７５頁第４段第１６−１９行）　
上記記載(3-a)に加えて、刊行物３には、「羽根モノ」（第７４頁第２行）、「Ｖゾーンに入賞するためには、羽根から直接Ｖゾーンに入るか・・・」（第７５頁第２段第７−８行）、「大当りになると、１８回の開閉」（第７５頁第３段第２行）の記載がある。また刊行物３の第７５頁上段及び中段の写真によれば、パチンコ機に設けられた７セグメントのデジタル表示器には「TIME」及び「COUNT BALL」の表示がある。これらを総合すると、刊行物３には、大当りになると羽根が開閉する「羽根モノ」のパチンコ機において、Ｖゾーンを備えた役物上部に設けられ、「TIME」及び「COUNT BALL」の表示がある、７セグメントのデジタル表示器に、大当り終了時には入賞した玉の総数を表示することが記載されていると認められる。
　　　　　　　　　　　　　　　　　　　　　　　　　　　　　　　　　
　また、特許異議申立人上田実が提示した甲第２号証（特開昭６４−７２７７５号公報、以下単に「甲第２号証」という）には、以下の記載がある。
4-a「この発明は、パチンコ遊技機等の・・・弾球遊技機に関し」（第２頁左上欄第１５−１６行）
4-b「始動入賞口１１，１２a，１２bにパチンコ玉が入賞すると、・・・可変入賞球装置５０の開閉翼片５３a，５３bを相対的に短い時間間隔で開閉動作させるようになっている。」（第３頁右下欄第１１−１９行）
4-c「開閉動作中に開閉翼片５３a，５３bによって導かれた入賞玉が可変入賞球装置５０内に設けられた・・・特定入賞口６４に入賞し、かつディジタル表示器６７の表示態様が予め定められた表示態様となったときには・・・特定遊技状態となり」（第４頁左上欄第４−９行）
4-d「予め定められた表示態様のうち、特別表示態様・・・が表示された場合には、特別表示状態となって、開閉翼片５３a，５３bの遊技者にとって有利となる第１の状態を規制条件が成立するまで継続し、その後、繰り返し条件が成立している限り所定回数第１の状態を継続させる。」（第６頁右下欄第８−１５行）
　上記記載(4-aないし4-d)より、甲第２号証には以下の発明が記載されていると認められる。
「始動入賞口１１，１２a，１２bにパチンコ玉が入賞すると、可変入賞球装置５０の開閉翼片５３a，５３bを相対的に短い時間間隔で開閉動作させ、開閉動作中に開閉翼片５３a，５３bによって導かれた入賞玉が可変入賞球装置５０内に設けられた特定入賞口６４に入賞し、かつディジタル表示器６７の表示態様が予め定められた特別表示態様となったときには特別表示状態となって、開閉翼片５３a，５３bの遊技者にとって有利となる第１の状態を規制条件が成立するまで継続し、その後、繰り返し条件が成立している限り所定回数第１の状態を継続させる、弾球遊技機。」
　　　　　　　　　　　　　　　　　　　　　　　　　　　　　　　　　
(3-2) 当審の判断
　本件発明と刊行物１ないし刊行物３並びに甲第２号証に記載された発明とを対比すると、これらの各刊行物及び甲号証のいずれにも、本件発明の構成である、「図柄表示体は、前記繰り返し回数を表示する機能と、前記反復開閉時の入賞球の数を表示する機能と、前記繰り返し回数終了時の入賞球の総数を表示する機能と、を兼用する」の構成（以下、「相違点の構成」という）が記載されていない。
　すなわち、刊行物１（特開平１−２４９０８２号公報）に記載の発明における「継続回数決定表示器１６」は、「継続回数」を表示する機能を有しているが、反復開閉時の入賞球の数を表示する機能も、「継続回数」終了時の入賞球の総数を表示する機能も有しておらず、ましてこれらの表示機能を兼用するものではない。
　また刊行物２（特開平１−２３２９８２号公報）に記載の発明における「繰返し回数表示部２７」は、「繰返し回数」を表示する機能を有しているが、「継続開閉」時の入賞球の数を表示する機能も、「繰返し回数」終了時の入賞球の総数を表示する機能も有していない。ここで、刊行物２に記載の発明は「入賞球数表示部２６」を備えており、「継続入賞口２２、通常入賞口２３にパチンコ球Ｐが入るごとにその球数を表示する」ものであるが、「繰返し回数」と「入賞球数」とは各々別の表示器に表示されるものであり、１つの表示器を兼用して表示されるものではないので、これらの数情報を１つの表示器を兼用して表示し、さらに「繰返し回数」終了時の入賞球の総数までも同一の表示器を兼用して表示することを当業者が容易に想到することができたとすることはできない。
　つぎに刊行物３（パチンコ必勝大図鑑　パチンコ必勝ガイド１２月号増刊　編集発行人　末井昭　少年出版社発行　白夜書房発売　平成元年１２月１５日　第１巻第９号）に記載の発明における７セグメントのデジタル表示器は、大当り終了時に入賞した玉の総数を表示するものであるが、「Ｖゾーンに入賞」したときに図柄を停止表示し「羽根」の反復開閉の再度複数回にわたる繰り返し回数を特定することは示唆しておらず、また「羽根」の反復開閉中には役物内に落入した入賞球の数を表示することも示唆していないから、上記デジタル表示器は、繰り返し回数を表示する機能と、反復開閉時の入賞球の数を表示する機能と、繰り返し回数終了時の入賞球の総数を表示する機能と、を兼用するものではない。
　さらに甲第２号証（特開昭６４−７２７７５号公報）に記載の発明における「ディジタル表示器６７」は、「開閉翼片」の開閉動作を行うための可変表示を行うものであるが、「開閉翼片」の反復開閉の再度複数回にわたる繰り返し回数を特定するものでも、「開閉翼片」の反復開閉中には「可変入賞球装置５０」内に落入した入賞球の数を表示するものでも、また「開閉翼片」の反復開閉の再度複数回にわたる繰り返し回数が終了したときには「可変入賞球装置５０」内に落入した入賞球の総数を表示するものでもないから、上記「ディジタル表示器６７」は、繰り返し回数を表示する機能と、反復開閉時の入賞球の数を表示する機能と、繰り返し回数終了時の入賞球の総数を表示する機能と、を兼用するものではない。
　また当審における平成１４年６月１０日付けの取り消しの理由中に例示した周知例１ないし周知例４を勘案しつつ刊行物１ないし刊行物３並びに甲第２号証に記載された技術事項を寄せ集めてみても、上記相違点の構成を得られるものではない。そして、本件発明は上記相違点の構成としたことにより、訂正明細書の段落【０００６】に記載された作用効果を奏するものである。
　したがって、本件発明は刊行物１ないし刊行物３並びに甲第２号証に記載された発明ではなく、また刊行物１ないし刊行物３並びに甲第２号証に記載された発明から当業者が容易に想到することができたものでもないから、本件発明の特許は特許法第２９条第１項第３号又は第２９条第２項の規定に違反してなされたものではない。
　なお、特許異議申立人上田実は平成１４年１０月２２日付けの上申書とともに周知例５ないし周知例８を提示し、繰り返し回数、入賞球数、入賞球の総数といった遊技に関する数値情報を遊技者に報知するようにパチンコ機を構成することは、当業者が普通に行う周知の技術的配慮であり、加えて、これらの遊技に関する数値情報を、１つの図柄表示体で兼用させるという思想も周知の事項であり、訂正後の本件特許発明の追加的構成要件（すなわち、上記相違点の構成）に格別の困難性はない旨を主張している。よって検討するに、周知例５ないし周知例８に係るパチンコ遊技機の可変入賞球装置はそれぞれ、「開閉板３を有する可変入賞球装置４」（周知例５）、「開成可能な変動入賞装置１３０」（周知例６）、「アタッカ１４」（周知例７）、「開放可能な大入賞口２０」（周知例８）であって、本件発明の「拡開作動する可動翼片を備えた入賞装置」とは相違しており、可変表示装置は、特定の表示態様になったときに上記可変入賞球装置を開成（開放）するという機能を有してるが、本件発明のような「可動翼片の反復開閉の再度複数回にわたる繰り返し回数を特定する」という機能は有していない。また、これらの周知例５ないし周知例８における可変表示装置は上記の表示機能に加えて、可変入賞球装置の開成（開放）が何回継続しているかという継続回数を遊技の進行にともなって表示するとともに、１回の開成（開放）における入賞球数を表示するという機能を有している。これを本件発明の上記相違点の構成との関連でみると、相違点の構成における、「反復開閉時の入賞球の数を表示する機能」に対応する機能を有しているものの、「繰り返し回数を表示する機能」も、「繰り返し回数終了時の入賞球の総数を表示する機能」も有していないから、これら周知例５ないし周知例８が上記の判断に影響を及ぼすものではない。
　　　　　　　　　　　　　　　　　　　　　　　　　　　　　　　　　
（４）特許法第３６条について
　特許異議申立人根本淳子が発明の詳細な説明に記載されていない構成であると主張する、特許明細書の特許請求の範囲の請求項１における「数表示結果分、可動翼片を拡開作動させる」の記載は、訂正により、「数表示結果に相当する回数だけ前記可動翼片の反復開閉を繰り返し可能に制御する」と訂正され、上記主張は理由がないものとなった。
　したがって、本件発明の出願は、特許法第３６条に規定する要件を満たしていないとすることはできない。　　　　　　　　　　　　　　　　　　
　　　　　　　　　　　　　　　　　　　　　　　　　　　　　　　　　
（５）むすび　　　　　　　　　　　　　　　　　　　　　　　　　　　
　以上のとおりであるから、特許異議の申立ての理由によっては本件発明についての特許を取り消すことはできない。　　　　
　また、他に本件発明についての特許を取り消すべき理由を発見しない。
　したがって、本件発明についての特許は拒絶の査定をしなけらばならない特許出願に対してされたものと認めない。　　　　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月８日（２００２．１１．８）
【訂正の要旨】
訂正の要旨
訂正事項ａ
　特許明細書の特許請求の範囲の請求項１の記載を下記のとおり訂正。
　【請求項１】　始動入賞口と、この始動入賞口への遊技球の落入によって拡開作動する可動翼片を備えた入賞装置と、この入賞装置内に設けられかつ遊技球が通過すると前記可動翼片を反復開閉する特定入賞領域と、この特定入賞領域を遊技球が通過したときに図柄を停止表示し前記可動翼片の反復開閉の再度複数回にわたる繰り返し回数を特定する図柄表示体と、この図柄表示体において特定された図柄の数表示結果に相当する回数だけ前記可動翼片の反復開閉を繰り返し可能に制御する制御手段を備え、
　しかも、前記可動翼片の反復開閉中には、前記図柄表示体に、前記入賞装置内に落入した入賞球の数を表示し、前記可動翼片の反復開閉の再度複数回にわたる繰り返し回数が終了したときには、前記図柄表示体に、前記入賞装置内に落入した入賞球の総数を表示することで、前記図柄表示体は、前記繰り返し回数を表示する機能と、前記反復開閉時の入賞球の数を表示する機能と、前記繰り返し回数終了時の入賞球の総数を表示する機能と、を兼用することを特徴とするパチンコ機。
訂正事項ｂ
　特許明細書の段落【０００４】の記載を下記のとおり訂正。
　【０００４】
　【課題を解決するための手段】
　本発明のパチンコ機は、始動入賞口と、この始動入賞口への遊技球の落入によって拡開作動する可動翼片を備えた入賞装置と、この入賞装置内に設けられかつ遊技球が通過すると前記可動翼片を反復開閉する特定入賞領域と、この特定入賞領域を遊技球が通過したときに図柄を停止表示し前記可動翼片の反復開閉の再度複数回にわたる繰り返し回数を特定する図柄表示体と、この図柄表示体において特定された図柄の数表示結果に相当する回数だけ前記可動翼片の反復開閉を繰り返し可能に制御する制御手段を備え、
　しかも、前記可動翼片の反復開閉中には、前記図柄表示体に、前記入賞装置内に落入した入賞球の数を表示し、前記可動翼片の反復開閉の再度複数回にわたる繰り返し回数が終了したときには、前記図柄表示体に、前記入賞装置内に落入した入賞球の総数を表示することで、前記図柄表示体は、前記繰り返し回数を表示する機能と、前記反復開閉時の入賞球の数を表示する機能と、前記繰り返し回数終了時の入賞球の総数を表示する機能と、を兼用することを特徴とする。
訂正事項ｃ
　特許明細書の段落【０００５】の記載を下記のとおり訂正。
　【０００５】
　【作用】
　可動翼片の拡開作動によって開放される入賞口へ落入した入賞球が遊技者に特典を与えるために設けた特定入賞領域を通過すると、可動翼片が反復開閉する。また、入賞球が特定入賞領域を通過すると、図柄表示体において図柄を停止表示する。そして図柄表示体において繰り返し回数が数表示され、繰り返し回数分だけ可動翼片の反復開閉が繰り返し可能となる。
　また、可動翼片の反復開閉中には、図柄表示体に、前記入賞装置内に落入した入賞球の数を表示する。
　さらに、可動翼片の反復開閉の再度複数回にわたる繰り返し回数が終了したときには、前記図柄表示体に、前記入賞装置内に落入した入賞球の総数を表示する。
訂正事項ｄ
　特許明細書の段落【０００６】の記載を下記のとおり訂正。
　【０００６】
　【発明の効果】
　本発明は前記したように構成してあるので、遊技球が始動入賞口へ落入する事と、入賞球が入賞装置の特定入賞領域を通過する事と、入賞球の特定入賞領域の通過により特定される図柄表示体の数表示結果とにより遊技者に与えられる利益が段階的にかつ複合的に設定されるという新規な趣向をパチンコ機に具備させることができ、ゲームの状況に変化を与えてゲームの興趣を高めることができる。
　特に、図柄表示体は、前記繰り返し回数を表示する機能と、前記反復開閉時の入賞球の数を表示する機能と、前記繰り返し回数終了時の入賞球の総数を表示する機能と、を兼用することで、同一の図柄表示体を目視することによって、前記繰り返し回数と、前記反復開閉時の入賞球の数と、前記繰り返し回数終了時の入賞球の総数とを容易に認識することができる。
（５４）【発明の名称】
パチンコ機
（５７）【特許請求の範囲】
　【請求項１】　始動入賞口と、この始動入賞口への遊技球の落入によって拡開作動する可動翼片を備えた入賞装置と、この入賞装置内に設け
られかつ遊技球が通過すると前記可動翼片を反復開閉する特定入賞領域と、この
図柄を停止表示し前記可動翼片の反復開閉の再度複数回にわたる繰り返し回数を
相当する回数だけ前記可動翼片の反復開閉を繰り返し可能に制御する
え、
　しかも、前記可動翼片の反復開閉中には、前記図柄表示体に、前記入賞装置内に落入した入賞球の数を表示し、前記可動翼片の反復開閉の再度複数回にわたる繰り返し回数が終了したときには、前記図柄表示体に、前記入賞装置内に落入した入賞球の総数を表示することで、前記図柄表示体は、前記繰り返し回数を表示する機能と、前記反復開閉時の入賞球の数を表示する機能と、前記繰り返し回数終了時の入賞球の総数を表示する機能と、を兼用する
【発明の詳細な説明】
　【０００１】
　【産業上の利用分野】
　この発明は遊技盤に装着された入賞装置を備えたパチンコ機に関する。
　【０００２】
　【従来の技術】
　従来のパチンコ機では遊技球が遊技盤面の特定の入賞口内へ落入する毎に入賞装置の入賞口が反復して開閉されるように設定されている。
　【０００３】
　【発明が解決しようとする課題】
　本発明の課題は遊技者に利益を与える入賞口の開閉態様の設定に関して新規な趣向を有する入賞装置を提供することである。
　【０００４】
　【課題を解決するための手段】
　本発明のパチンコ機は、始動入賞口と、この始動入賞口への遊技球の落入によって拡開作動する可動翼片を備えた入賞装置と、この入賞装置内に設け
られかつ遊技球が通過すると前記可動翼片を反復開閉する特定入賞領域と、この
図柄を停止表示し前記可動翼片の反復開閉の再度複数回にわたる繰り返し回数を
相当する回数だけ前記可動翼片の反復開閉を繰り返し可能に制御する
え、
　しかも、前記可動翼片の反復開閉中には、前記図柄表示体に、前記入賞装置内に落入した入賞球の数を表示し、前記可動翼片の反復開閉の再度複数回にわたる繰り返し回数が終了したときには、前記図柄表示体に、前記入賞装置内に落入した入賞球の総数を表示することで、前記図柄表示体は、前記繰り返し回数を表示する機能と、前記反復開閉時の入賞球の数を表示する機能と、前記繰り返し回数終了時の入賞球の総数を表示する機能と、を兼用する
　【０００５】
　【作用】
　可動翼片の拡開作動によって開放される入賞口へ落入した入賞球が遊技者に特典を与えるために設けた特定入賞領域を通過すると、
可動翼片が反復開閉する。また、入賞球が特定入賞領域を通過すると、図柄表示体において図柄を停止表示する。そして図柄表示体において繰り返し回数が数表示され、繰り返し回数分だけ可動翼片の反復開閉が繰り返し可能となる。
　また、可動翼片の反復開閉中には、図柄表示体に、前記入賞装置内に落入した入賞球の数を表示する。
　さらに、可動翼片の反復開閉の再度複数回にわたる繰り返し回数が終了したときには、前記図柄表示体に、前記入賞装置内に落入した入賞球の総数を表示する。
　【０００６】
　【発明の効果】
　本発明は前記したように構成してあるので、遊技球が始動入賞口へ落入する事と、入賞球が入賞装置の特定入賞領域を通過する事と、入賞球の特定入賞領域の通過により特定される図柄表示体の数表示結果とにより遊技者に与えられる利益が段階的にかつ複合的に設定されるという新規な趣向をパチンコ機に具備させることができ、ゲームの状況に変化を与えてゲームの興趣を高めることができる。
　特に、図柄表示体は、前記繰り返し回数を表示する機能と、前記反復開閉時の入賞球の数を表示する機能と、前記繰り返し回数終了時の入賞球の総数を表示する機能と、を兼用することで、同一の図柄表示体を目視することによって、前記繰り返し回数と、前記反復開閉時の入賞球の数と、前記繰り返し回数終了時の入賞球の総数とを容易に認識することができる。
　【０００７】
　【実施例】
　次に、本発明の一実施例を図面に従って説明する。
　パチンコ機の遊技盤１の中央部には入賞装置Ｎが装着されるとともに、遊技盤１の遊技盤面１ａには入賞装置Ｎの両側方にそれぞれ配設された左右入賞口４，５と、入賞装置Ｎの下方に配設されて横方向へ配列された左始動口（左入賞始動口）８、右始動口（右入賞始動口）９、中始動口（中入賞始動口）１０とがそれぞれ開設され、さらに、遊技盤面１ａの入賞装置Ｎの両側斜め下方にはそれぞれ規定入賞数が１個となるように設定されたチューリップ式役物６，７が取り付けられている。
　【０００８】
　入賞装置Ｎには入賞球を受け入れて通過させるための球通過部Ｎ１と、入賞球の転落経路を変化させるために駆動制御される伝動部材を備え、球通過部Ｎ１の後方及び下方に配設された伝動部Ｎ２と、前記伝動部材を駆動する駆動部材を備え、伝動部Ｎ２の後方に配設された駆動部Ｎ３と、入賞装置Ｎの各種電気部品と外部配線とを接続する配電部Ｎ４とが前から順に設置されている。
　【０００９】
　球通過部Ｎ１には遊技盤面１ａに取着されて合成樹脂材で枠状に形成されたベース枠１１と、このベース枠１１の裏面に組付けられて合成樹脂材で前方開放の箱形状に形成された球受ケース１２と、ベース枠１１内に装入された仕切り部材１３とが設置されている。
　【００１０】
　ベース枠１１の前部に形成された前枠板１１ａの上端部には通過口１１ｃが開口されるとともに、前枠板１１ａの上端部付近の後側面には縦断面形状が門形状のカバー片３０と、前方及び側方開放の箱形状のケース片３１とが上下に連設され、前枠板１１ａの上端部の内側縁とケース片３１の前上端縁との間には天入賞口１５が開口されている。
　【００１１】
　前枠板１１ａの上端部付近の前面には後方開放の箱形状の収納樋１６が取付けられ、収納樋１６の左右下端部には斜め下方へ突出された突縁１６ａがそれぞれ形成されるとともに、収納樋１６の上面の中央部には後方へ下傾して後端縁がケース片３１の前上端縁に整合及び接合された中案内面１６ｂが形成され、さらに収納樋１６の上面の左右部にはそれぞれ内方へ下傾する左右の横案内面１６ｃ，１６ｃが形成され、収納樋１６上へ転落した遊技球は各案内面１６ｂ，１６ｃで誘導されて天入賞口１５内へ導入される。
　【００１２】
　ケース片３１の後側面には天入賞口１５内へ落入してケース片３１上を後方へ転動した遊技球をケース片３１の後方から一側方へ誘導するために前方、上方及び一側開放の上樋板２２がビス着されている。
　【００１３】
　前枠板１１ａの下端部付近には左右の側板２３ａと底板２３ｂとが連設されて前枠板１１ａの前方及び後方へ突出された下樋片２３が形成され、この下樋片２３の前面には飾り板２４が添着されるとともに、下樋片２３の底板２３ｂの前部の中央部付近上には左右１対の仕切り板２５，２５が並行状に立設されている。
　【００１４】
　下樋片２３内の前端部の中央部で両仕切り板２５間の上端には入球によって遊技者に特典を与える特定領域（特定入賞領域）２６が開口されるとともに、下樋片２３内の前端部の左右部で両仕切り板２５と両側板２３ａとの間の上端部にはそれぞれ特定領域２６に隣接して入賞球通過口２７，２７が開口されている。また、両仕切り板２５間の上端付近には特定領域２６を通過した入賞球を検出するための特定領域通過検出スイッチ２８が挿入されている。下樋片２３の底板２３ｂ上には特定領域２６及び両入賞球通過口２７を通過した遊技球をベース枠１１の下方へ誘導する球通路が形成され、下樋片２３の後側面にはこの球通路を覆蓋する縦断面円弧状のカバー２９がビス着されている。
　【００１５】
　ベース枠１１の前枠板１１ａの両側枠部付近の裏面には中央部が垂直状で上部が外方へ下傾しかつ下部が内方へ下傾するようにそれぞれ形成された左右１対の側壁１１ｂがそれぞれ直交状に連接されている。
　【００１６】
　透明合成樹脂材で成形された仕切り部材１３はベース枠１１の両側壁１１ｂ間に密嵌状で取り外し可能に嵌装され、この仕切り部材１３には両側壁１１ｂの内壁面にそれぞれ添設された左右１対の側壁板１３ａと、この両側壁板１３ａの前端縁にそれぞれ連接された左右１対の前壁板１３ｂと、この両前壁板１３ｂの内端縁の下部にそれぞれ直交状の連接されてベース枠１１の下樋片２３の両側板２３ａの真上に直列状に垂立された左右１対の遮断片１３ｃと、両前壁板１３ｂの内端縁の中央部付近に後端部の左右端部がそれぞれ連接されかつ前方に向かって若干上傾した状態で両前壁板１３ｂ間に横架されて両前壁板１３ｂの前方へ突出された方形板状の球受棚１３ｄと、両前壁板１３ｂの後側面の内端部の中央部にそれぞれ後方へ突出形成された左右１対の円筒状の軸受部１３ｅとが形成され、球受棚１３ｄの上面後端部の左右端部付近にはそれぞれ三角台状のガイド片１３ｆが突設されている。
　【００１７】
　両仕切り部材１３の球受棚１３ｄの左右側縁と、収納樋１６の左右突縁１６ａとの間には左右の大入賞口３，３がそれぞれ開設されている。
　球受ケース１２にはベース枠１１のケース片３１の底板の後方に直結状に連設された上壁板３２ａと、ベース枠１１の両側壁１１ｂと下樋片２３の両側片２３ａの上端付近との後方にそれぞれ直結状に連設された両側壁板３２ｂとを有する胴壁板３２と、この胴壁板３２の後端縁に接合された後壁板３３と、後壁板３３の下端縁及び胴壁板３２の両側壁板３２ｂの下端付近にそれぞれ接合されて前傾した状態で前方へ突出された底板３４とが形成されている。底板３４の水平状の前端縁はベース枠１１の前枠部１１ａの前面付近で連続作動口２６及び両入賞球通過口２７の後側開口縁の若干上方に配設される一方、底板３４の後端付近は後壁板３３の後方へ突出されている。
　【００１８】
　球受ケース１２の後壁板３３にはその上下方向及び左右方向の中央部に配設されて垂直方向に沿って貫設された長方形状のガイド孔３３ａと、後壁板３３の左右端部付近の上下方向の中央部にそれぞれ配設された左右１対の円筒状の軸受部３３ｂとが形成されている。球受ケース１２の後壁板３３の上端部及び左右端部の後側にはランプ７８が取り付けられたランプ基板がそれぞれビス着されるとともに、後壁板３３の下端付近の後側には横一列に配設された複数個の装飾ＬＥＤ７９が接続されたＬＥＤ基板がビス着されている。
　【００１９】
　仕切り部材１３の両軸受部１３ｅと、球受ケース１２の両軸受部３３ｂとにはそれぞれ前後方向に沿って水平状に横架された左右１対の伝動軸４５，４５が回転可能に貫挿支持され、この両伝動軸４５の前端にはそれぞれ左右の大入賞口３を開放するために拡開作動する左右１対の可動翼片４６，４６の基端部がそれぞれ嵌着される一方、両伝動軸４５の後端にそれぞれ共転可能に嵌装された左右１対の第１伝動片４７には後方へ水平状に突出された伝動ピン４７ａがそれぞれ挿着されている。
　【００２０】
　球受ケース１２の後壁板３３の後方には後壁板３３の後側面に突出形成された複数個の腕片３３ｃの後端面にビス着された取付プレート５８が垂立され、この取付プレート５８の後側面の上部には左右１対の大入賞口開閉ソレノイド６０，６０が下向き状に取着されている。両大入賞口開閉ソレノイド６０の作動軸６０ａにはこの作動軸６０ａを下方へ付勢するスプリング６０ｂがそれぞれ外嵌されるとともに、両作動軸６０ａの先端は左右両端部に横長状の挿通孔６１ａが貫設された横長板状の第２伝動片６１の中央部付近にそれぞれ連結ピン６２を介して共同上下動可能に連結されている。第２伝動片６１の両挿通孔６１ａ内には前記両第１伝動片４７の伝動ピン４７ａがそれぞれ挿入され、両大入賞口開閉ソレノイド６０の作動軸６０ａは両伝動片６１，４７を介して両伝動軸４５にそれぞれ連動可能に連繋されている。
　【００２１】
　両大入賞口開閉ソレノイド６０が共に励磁されて両作動軸６０ａが上方へ退動したときには両第１伝動片４７が共に上方へ揺動して両伝動軸４５が相反方向へ回転し、両可動翼片４６が拡開作動して両大入賞口３がそれぞれ開放される一方、両大入賞口開閉ソレノイド６０が共に消磁されて両作動軸６０ａがスプリング６０ｂの弾発力によって下方へ進動したときには両第１伝動片４７が共に下方へ揺動して両伝動軸４５が相反方向へ回転し、両可動翼片４６がそれぞれ内方へ復帰して両大入賞口３がそれぞれ閉鎖される。
　【００２２】
　遊技球が左右入賞始動口８，９へ落入すると、大入賞口開放ソレノイド６０が１回励磁および消磁されて大入賞口３が１回開閉され、遊技球が中始動口１０へ落入すると、大入賞口開放ソレノイド６０が２回励磁および消磁されて大入賞口３が２回開閉される。
　大入賞口３内へ落入した入賞球が特定領域２６を通過すると、大入賞口開放ソレノイド６０が１８回反復して励磁および消磁されて大入賞口３が１８回反復して開閉される。なお、開閉回数は可動翼片４６が拡開作動する繰り返し回数であり、連続回数は一連の拡開作動（例えば可動翼片４６による１８回の反復拡開作動）が再度複数回にわたって繰り返される回数をいう。
　【００２３】
　球受ケース１２内の後部には大入賞口３内へ落入した入賞球の通過経路を変化させるためにレーサーがレーシングカーに乗車した形態を有するキャラクタ３６が装入され、キャラクタ３６の中央部にはレーシングカーの車体の形状を有するキャラクタ本体３７が前後方向に沿って形成されている。
　【００２４】
　キャラクタ３６のキャラクタ本体３７の後側面の中央部には球受ケース１２のガイド孔３３ａの前側面に添接された前スライダ４０がビス着され、この前スライダ４０の後側面にはそれぞれ後方へ水平状に突出形成されてガイド孔３３ａ内に貫挿された上下の突部４０ａ，４０ｂが並設され、下突部４０ｂには後方へ水平状に突出された伝動ピン４０ｃが挿着されている。前スライダ４０の後側にはガイド孔３３ａの後側面に添接されて上部が上突部４０ａにビス着されかつ下部に伝動ピン４０ｃが貫挿された後スライダ４１が並着され、両スライダ４０，４１の左右端縁間にはガイド孔３３ａの両側孔縁がそれぞれ挿入され、キャラクタ本体３７は球受ケース１２の後壁板３３に両スライダ４０，４１を介して上下スライド可能に係止されている。
　【００２５】
　キャラクタ本体３７の左右方向の中央部には大入賞口３を通過して特定位置へ転落した入賞球を後方へ誘導して直下へ転落させるためにキャラクタ本体３７の前端に球入口４２ａを有する球誘導道路４２が前後方向に沿って形成されるとともに、球誘導路４２の後端には球誘導路４２内へ落入した入賞球をキャラクタ本体３７内の後端から落下させるための球出口４２ｂが開口され、球誘導路４２内へ落入した入賞球は球出口４２ｂを通じて球受ケース１２の底板３４上へ転落する。キャラクタ本体３７が上死点へ上動した時には球誘導路４２の球入口４２ａが仕切り部材１３の球受棚１３ｄの後端縁の上方へ変位して球受棚１３ｄ上から球誘導路４２内への入賞球の落入すなわちキャラクタ本体３７による入賞球の受取りが不能となり、キャラクタ本体３７が下死点へ下降したときには球誘導路４２の球入口４２ａが球受棚１３ｄの後端縁に対置されて球受棚１３ｄ上から球誘導路４２内への入賞球の落入すなわちキャラクチ本体３７による入賞球の受取りが可能となる。
　【００２６】
　キャラクタ本体３７の両側方には後壁板３３の前面の左右部にそれぞれ取り付けられてレーシングカーのタイヤの形状を有する左右１対の第１キャラクタ部品３８，３８が配設されるとともに、この両第１キャラクタ部品３８にはそれぞれキャラクタ本体３７側へ延出されて内端部がキャラクタ本体３７内に突入された左右１対の車軸状の第２キャラクタ部品３９の基端部がそれぞれ枢着され、キャラクタ本体３７が上下動したときには両第２キャラクタ部品３９がそれぞれ外端部を支点として上下に傾動する。
　【００２７】
　底板３４の上面の後端の左右方向中央部には上方へ若干突出された両側縁を有する平板状のガイド板３４ａが突設され、このガイド板３４ａの若干前方には１個の遊技球の落入が可能な孔径を有する丸孔状の球停留孔４４が開口され、この球停留孔４４の前方の底板３４の上面には突条３４ｂが前後方向に沿って突設されている。
　【００２８】
　底板３４上の前部には１個の入賞球の通り抜けが可能で逆Ｕ形状の断面形状を有し、前後方開放のアーチ８０が球停留孔４４の前方に隣接して立設され、このアーチ８０内を通り抜けた入賞球は特定領域８０内へ導入される。球受ケース１２の球停留孔４４の下方にはこの球停留孔４４に入賞球を一時的に停留させてから、球停留孔４４内に停留した入賞球を前方へ送り出す機能を有する球停留機構４３が隣接されている。
　球停留機構４３の昇降部材４８には球停留孔４４に挿脱される有蓋円筒状の球受部４８ａと、この球受部４８ａの下端縁に連接されたフランジ４８ｂとが形成され、昇降部材４８の下端面には複数個のガイド棒４８ｃが並行状に垂下され、各ガイド溝４８ｃは底板３４の下方に並設された下板７７に貫設された各通し孔７７ｂ内にそれぞれ上下スライド可能に貫挿支持されている。昇降部材４８の各ガイド棒４８ｃの下端には左右１対の突部５４ａが下面に突設された連結片５４が結合されている。
　【００２９】
　球受ケース１２の底板３４の後端部下面に連設された取付台３４ｂの下面には金属製で断面が門形状の取付部材４９が取着され、この取付部材４９の両側板間には昇降部材４８を駆動する球停留ソレノイド５０が前向き状に狭着され、この球停留ソレノイド５０の作動軸５０ａには作動軸５０ａを前方へ付勢するスプリング５０ｂが外嵌されている。
　【００３０】
　取付部材４９の前端には揺動レバ５１がその基端部を貫通して取付部材４９の両側板に貫挿された連結ピン５２を介して上下方向への揺動可能に連結され、揺動レバ５１の後下端部には球停留ソレノイド５０の作動軸５０ａが縦長状の後連結孔５１ｂ内に係入された連結ピン５３を介して連結されるとともに、前方へ延出された揺動レバ５１の前端部には横長状の前連結孔５１ａが貫設されている。
　【００３１】
　揺動レバ５１はこの揺動レバ５１の前連結孔５１ａと前記連結片５４の両突部５４ａとに貫挿された連結ピン５５を介して連結片５４に連動可能に連結されている。
　【００３２】
　球停留ソレノイド５０が励磁されて作動軸５０ａが後退したときには揺動レバ５１が下方へ揺動して昇降部材４８が連結片５４とともに引き下げられ、球停留孔４４内の昇降部材４８上には１個の遊技球の収容が可能な球停留部５６が凹状に形出される一方、球停留ソレノイド５０が消磁されて作動軸５０ａがスプリング５０ｂの弾発力で前進したときには揺動レバ５１が上方へ揺動して昇降部材４８が連結片５４とともに押し上げられ、昇降部材４８の上面が球受ケース１２の底板３４の上面の上方へ突出して球停留部５６が消滅する。
　【００３３】
　大入賞口３を通過した入賞球のうち、球停留部５６内に停留した入賞球は昇降部材４８の上昇によって球停留部５６内から前方へ送り出され、アーチ８０内を通り抜けて特定領域２６に向って転動し、特定領域２６内へ転落する。
　【００３４】
　取付プレート５８の下端付近にはステップモータ型のキャラクタ本体駆動モータ６３が前向き状に取着され、このキャラクタ本体駆動モータ６３の出力軸６３ａには前方へ突出された伝動ピン６５が一端部に挿着されたカム６４が嵌着されている。
　【００３５】
　カム６４と前記両スライダ４０，４１とを連動可能に連結するために設けたクランク６６の一端部には前スライダ４０の伝動ピン４０ｃが貫挿される一方、クランク６６の他端部にはカム６４の伝動ピン６５が貫挿され、キャラクタ本体駆動モータ６３を起動してカム６４が回転したときにはクランク６６を介して両スライダ４０，４１が往復上下動して両キャラクタ本体３６が約１７ｍｍの範囲を往復昇降する。
　【００３６】
　取付プレート５９の前側面の中央部付近にはカム６４の上方に配設された下定位置検出スイッチ６７と上定位置検出スイッチ６８とが前後に隣接して取付けられている。一方、カム６４の周胴面には伝動ピン６５及びキャラクタ３６のキャラクタ本体３７が下死点へ変位したときに下定位置検出スイッチ６７の触動片６７ａを下方へ傾動させて下定位置検出スイッチ６７の接点を切換えるために下定位置検出スイッチ６７に対向して形成された前凹部６４ａと、伝動ピン６５及びキャラクタ３６のキャラクタ本体３７が上死点位置へ変位したときに上定位置検出スイッチ６８の触動片６８ａを下方へ傾動させて上定位置検出スイッチ６８の接点を切換えるために上定位置検出スイッチ６８に対向して形成された後凹部６４ｂとが凹設され、両凹部６４ａ，６４ｂはカム６４の回転中心を中心として１８０°の回転対称位置に配設されている。
　【００３７】
　パチンコ機の電源を投入すると、キャラクタ本体駆動モータ６３が起動され、上定位置検出スイッチ６８によって上死点へのキャラクタ本体３７の上昇が検出されてから、キャラクタ本体３７が反復昇降動作を開始し、３．８秒間上死点で停止してから１．２秒間で１回往復昇降する昇降動作を反復する。
　【００３８】
　取付プレート５８の後側面に複数個の腕片６９ａを介して取付けられて取付プレート５８の後方に垂立された基板取付プレート６９の後側面には入賞装置Ｎ内の各電気部品と、この各電気部品を作動制御するＣＰＵ，ＲＯＭ，ＲＡＭ、クロツ回路、リセット回路を備えた中央制御基板とを接続する中継基板７０が取着され、この中継基板７０にはプリント回路が印刷されるとともに、中継基板７０にはプリント回路とリード線束とを解離可能に接続する多数個のコネクタ７１が取付けられている。
　【００３９】
　遊技盤１の裏面１ｂの中央部付近には左右入賞口４，５、天入賞口１５、大入賞口３内へ落入して遊技盤１への裏面１ｂ側へ転動した遊技球を集合して定位置へ排出するための誘導樋７２〜７２が取付けられるとともに、遊技盤１の裏面１ｂで入賞装置Ｎの下方には大入賞口３内へ落入した入賞球を検出するための大入賞口入球検出スイッチ７３が取付けられ、さらに、遊技盤１の下部には中始動口１０内へ落入した遊技球を検出するための中始動口入賞検出スイッチ７４と、左右始動口８，９内へ落入した遊技球を検出するための左右始動口入賞検出スイッチ７５，７５とが取付けられている。
　【００４０】
　ベース枠１１の前枠板１１ａに取付けられた収納樋１６の内部にはプリント回路が印刷された横長状の表示体基板１７が垂直状に設置され、この表示体基板１７の前面には複数の図柄を可変表示した後可動翼片４６の一連の反復拡開作動の連続回数を特定表示する左判定図柄表示ＬＥＤ１８、中判定図柄表示ＬＥＤ１９、右判定図柄表示ＬＥＤ２０が横一列に配列されて取付けられている。
　【００４１】
　各判定図柄表示ＬＥＤ１８，１９，２０は縦横方向へ配列されて点滅制御が可能な１群（例えば７×５個）のドット素子を有するドットマトリックス表示ＬＥＤによってそれぞれ形成され、本例では各判定図柄表示ＬＥＤ１８，１９，２０は大入賞口３の反復開閉の連続回数を選定する連続回数判定図柄を可変表示する。各図柄は符号化された２進のデジタル信号としてＣＰＵにおいて演算処理され、演算結果に基づいて特定表示される。
　【００４２】
　パチンコ機の電源投入時に左、中、右判定図柄表示ＬＥＤ１８，１９，２０は３つ１組の８種類の識別図柄をＬ−８→Ｌ１４→Ｌ１０→Ｌ１２→Ｌ１１→Ｌ１３→Ｌ−９→Ｌ１５の順に０．６００秒毎に切替えて４．８００秒の周期で循環して可変表示する。
　【００４３】
　各判定図柄表示体１８，１９，２０は入賞球が特別領域２６を通過した時点で可変表示を一斉に停止し、この停止時に中、右判定図柄表示体１９，２０が表示した図柄の数表示結果に基づいて大入賞口３の反復開閉（可動翼片４６の反復拡開作動）の連続回数が設定され、大入賞口３の反復開閉が中、右判定図柄表示ＬＥＤ１９，２０が停止時に特定表示した数表示結果分だけ連続して繰り返される。
　【００４４】
　大入賞口３の反復開閉中に入賞球が再度特定領域２６を通過したときにはその通過が検出されてから２，６２４秒に再び大入賞口３の反復開閉が再開される。
　【００４５】
　連続回数の２回目では各判定図柄表示ＬＥＤ１８，１９，２０は入賞球が特定領域を通過した時点で決定した識別図柄を最初の０．５１２秒間は点灯表示し、引き続き１．０３６秒間０．１２８秒の間隔で点滅表示する。
　【００４６】
　大入賞口３の１８回の反復開閉中、左、中判定図柄表示ＬＥＤ１８，１９は連続回数残を０．１２８秒の間隔で点滅表示し、右判定図柄表示ＬＥＤ２０は大入賞口３への入賞数を点灯表示する。
　【００４７】
　連続回数分の反復開閉が終了すると、各判定図柄表示ＬＥＤ１８，１９，２０は大入賞口３へ落入した入賞球の総数を点灯表示する。
　【００４８】
　次に、ゲーム態様について説明する。
　発射装置のハンドルを回動操作して上皿上の遊技球を１個ずつ遊技盤面１ａの任意の位置へ発射すると、遊技盤面１ａへ打ち込まれた各遊技球は各入賞口３，４，５，１５内、チューリップ式役物６，７内、始動口８，９，１０内へ落入するか、もしくはアウト口へ落入する。遊技球が大入賞口３内へ落入したときには１０個、他の各入賞口４，５，１５内、役物６，７内、各始動口８，９，１０内へ落入したときは６個の遊技球が遊技者に払い出される。
　【００４９】
　遊技球が左右始動口８，９内へ落入すると、大入賞口３がその０．５秒後に０．４秒間１回開放される（図５参照）。また、遊技球が中始動口１０内へ落入すると、大入賞口３がその０．５秒後に０．４秒間０．５秒の間隔をおいて２回開放される（図６参照）。
　【００５０】
　大入賞口３の開放中に大入賞口３内へ落入した遊技球が特定領域２６を通過すると、大入賞口３が２．６２４秒後約２４秒間に１８回反復して開閉される（図１７参照）。この大入賞口３の１８回の反復して開閉に際し、大入賞口３は、１回目から５回目まではＢ秒間隔（Ｂ＝０．７４８）でＡ秒（Ａ＝０．３４８）間開放され、５回目から１．５秒後の６回目から９回目まではＢ秒間隔でＣ秒（Ｃ＝０．７）間それぞれ開放され、１０回目から１２回目まではＢ秒間隔でＡ秒間開放され、１２回目から１．５秒後の１３回目から１８回目まではＢ秒間隔でＣ秒間開放される。
　【００５１】
　但し、大入賞口３の反復開閉中に１０個の遊技球が大入賞口３内へ落入した場合には１０個目の遊技球が入賞した時点で大入賞口３が閉鎖される。
　【００５２】
　キャラクタ本体３７はパチンコ機の電源投入時に反復昇降動作を開始し、入賞球が特定領域２６を通過すると、その１．２８４〜２．４８４秒後に上死点で停止し、大入賞口３が５回目に閉鎖されてから０．３２４秒後に下降を開始して０．６秒後に下死点で停止し、大入賞口３が９回目に開放された時点で上昇を開始して０．６秒後に上死点で停止し、大入賞口３が１２回目に閉鎖されてから０．３２４秒後に下降を開始し、大入賞口３が１６回目に開放された時点若しくは大入賞口３への入球数を８個カウントした時点で上昇を開始して０．６秒後に上死点で停止する。
　【００５３】
　また、両大入賞口３が１８回中５回目に開放されてから閉鎖された時点で球停留機構４３の昇降部材４８が下降し、球停留部５６内への入賞球の停留が可能となり、その後両大入賞口３が１６回目に開放された時点、もしくは大入賞口３内への入賞球の入球が８個カウントされた時点で昇降部材４８が上昇し、球停留部５６内の入賞球が送り出されるとともに、球停留部５６が消滅する。
　【００５４】
　両大入賞口３の開放中に１０個の遊技球が大入賞口３内へ落入したときには両大入賞口３は１０個目の遊技球が入球した時点で閉鎖されてそれ以後の両大入賞口３の開放が禁止される。
　【００５５】
　大入賞口３内へ落入した入賞球が特定領域２６を通過し、大入賞口３の１８回の反復開閉が開始されてから、入賞球が再度特定領域２６を通過したときにはその時点で両大入賞口３が一旦閉鎖されてから、２．６２４秒後に再び大入賞口３の１８回の反復開閉が開始され、大入賞口３の開閉中に入賞球が特定領域２６を通過する都度上記動作が連続的に繰り返され、その最高繰り返し回数は最初の開閉を除いて左、中、右判定図柄ＬＥＤ１８，１９，２０が停止時に表示した回数分と規定されている。
　【００５６】
　また、大入賞口３の開閉中、遊技球が再度特定領域２６を通過すると、その時点で球停留ソレノイド５０が消磁されて昇降部材４８が上昇し、その後大入賞口３の１８回の反復開閉が開始されて大入賞口３が５回目に閉鎖された時点で球停留ソレノイド５０が再励磁されて昇降部材４８が下降し、この状態が両大入賞口３の１８回目の開放時まで継続する。
　【００５７】
　さらに、両大入賞口３の開閉中遊技球が再度特定領域２６を通過すると、その時点でキャラクタ駆動モータ６０が、上定位置検出スイッチ６８の検出信号が発信されるまで回転駆動されてキャラクタ本体３７が１．２８４〜２．４８４秒間の間に上死点へ移行して停止する。
　【００５８】
　大入賞口３が反復して開閉されている間に遊技球が各始動口８，９，１０内へ落入したときにはそれぞれ８個の遊技球が払い出されるだけで、大入賞口３の反復開閉終了後、引き続いて両大入賞口３が開閉されることはない。
　【００５９】
　なお、特定領域２６の有効時間は大入賞口３の開閉が終了してから２．５秒間と設定されている。
　【００６０】
　続いて、上記した構成をもつ実施例の作用と効果を説明する。
　本例では始動口８，９，１０と、この始動口８，９，１０への遊技球の落入により拡開作動する可動翼片４６を備えた入賞装置Ｎと、この入賞装置Ｎ内に設けた特定領域２６と、この特定領域２６を遊技球が通過した場合に図柄を可変表示した後特定する図柄表示ＬＥＤ１８，１９，２０と、この図柄表示ＬＥＤ１８，１９，２０において特定された図柄の数表示結果に基づいてこの数表示結果分再び可動翼片４６を拡開作動させる制御手段を設けてある。
　【００６１】
　このため、遊技球が始動入賞口８，９，１０に落入する事と、入賞球が特定領域２６を通過する事と、特定領域２６の遊技球の通過により特定される図柄表示ＬＥＤ１８，１９，２０の数表示結果とにより遊技者に与えられる利益が段階的にかつ複合的に設定されるという新規な趣向きをパチンコ機に具備させることができ、ゲームの状況に変化を与えてゲームの興趣を高めることができる。
【図面の簡単な説明】
　【図１】
　本発明の１実施例を示す入賞装置の正面図である。
　【図２】
　同じく、側断面図である。
　【図３】
　同じく、斜視図である。
　【図４】
　遊技盤の正面図である。
　【図５】
　遊技盤の裏面図である。
　【図６】
　可動翼片およびその駆動機構の正面図である。
　【図７】
　キャラクタ本体およびその駆動機構の側断面図である。
　【図８】
　球停留機構付近の側断面図である。
　【図９】
　昇降部材が上昇した状態を示す要部の斜視図である。
　【図１０】
　昇降部材が下降した状態を示す要部の斜視図である。
　【図１１】
　キャラクタ本体が上昇する途中の状態を示す要部の正面図である。
　【図１２】
　キャラクタ本体が上死点へ上昇した状態を示す要部の正面図である。
　【図１３】
　キャラクタ本体が下降する途中の状態を示す要部の正面図である。
　【図１４】
　キャラクタ本体が下死点へ下降した状態を示す要部の正面図である。
　【図１５】
　左右始動口入賞時の大入賞口の開閉態様を示すタイムチャートである。
　【図１６】
　中始動口入賞時の大入賞口の開閉態様を示すタイムチャートである。
　【図１７】
　入賞球が特定領域を通過したときの大入賞口の開閉態様と、昇降部材およびキャラクタ本体の昇降動作とを示すタイムチャートである。
　【図１８】
　大入賞口の開閉中に１０個入賞したときの大入賞口の開閉態様と、８個入賞したときの昇降部材およびキャラクタ本体の昇降動作とを示すタイムチャートである。
　【図１９】
　入賞球が再度特定領域を通過したときの大入賞口の開閉態様と、昇降部材およびキャラクタ本体の昇降動作とを示すタイムチャートである。
　【符号の説明】
　　３　大入賞口
　　８，９，１０　始動口（入賞始動口）
　１８，１９，２０　判定図柄表示ＬＥＤ（図柄表示体）
　２６　特定領域（特定入賞領域）
　４６　可動翼片
　　Ｎ　入賞装置